(57)【要約】【課題】ワンタッチで容易に蓋を開けることのできる硬質樹脂シート製包装容器を提供する。【解決手段】６面体形状の容器１０は、開口される面１２の周縁が、辺Ｓ１および辺Ｓ２を他の面１４と接合されるとともに、残りの二辺Ｓ３、Ｓ４を他の面１６から切り離された状態に形成される。そして、辺Ｓ２から延出して、ほぼＵ字状のミシン目線Ｌ１が形成されるとともに、ミシン目線Ｌ１の両側に延出して、残りの二辺Ｓ３、Ｓ４に接続されるミシン目線Ｌ２、Ｌ３が形成される。容器１０には、好ましくは、封緘シール１８を設ける。封緘シール１８は、容器１０のミシン目線Ｌ１〜Ｌ３に対応して例えば３本のミシン目線Ｌ４〜Ｌ６が配列して形成される。そして、封緘シール１８のうえから手の指をＵ字状のミシン目線Ｌ１で画成されるジート部位Ａに添えて、さらに指を押し込むことでミシン目線Ｌ１〜Ｌ３が切断され、開口される面１２が開かれ、開口が生成される。【選択図】図１
0003119365.tif 000002
【実用新案登録請求の範囲】
【請求項１】
開口して被包装物を取り出すことができる硬質樹脂シート製包装容器において、
１または複数の手の指を添えることができる大きさのほぼＵ字状のミシン目線が形成されるとともに、該Ｕ字状のミシン目線の両側に延出してミシン目線が形成され、
該Ｕ字状のミシン目線を起点として、両側に延出したミシン目線を切断することで、被包装物を取り出すための開口が生成されるように構成されてなることを特徴とする硬質樹脂シート製包装容器。
【請求項２】
少なくとも前記Ｕ字状のミシン目線の部分を覆うように貼付される封緘シールをさらに有し、貼付した状態において該封緘シールの該Ｕ字状のミシン目線の部分にほぼ重なる位置に該Ｕ字状のミシン目線と平行な複数のミシン目線が配列して形成されてなることを特徴とする請求項１記載の硬質樹脂シート製包装容器。
【請求項３】
６面体形状容器であり、開口される面の周縁が、辺および該辺と対向する他の辺を他の面と接合されるとともに、残りの二辺を他の面から切り離された状態に形成され、該開口される面の該辺から延出して、指を添えることができる大きさのほぼＵ字状のミシン目線が形成されるとともに、該Ｕ字状のミシン目線の両側に延出して、該残りの二辺に接続されるほぼ直線状のミシン目線が形成され、
前記封緘シールが該Ｕ字状のミシン目線および直線状のミシン目線のほぼ全体を覆うように貼付され、該Ｕ字状のミシン目線および該直線状のミシン目線と平行な複数のミシン目線が配列して形成されてなることを特徴とする請求項２記載の硬質樹脂シート製包装容器。
【考案の詳細な説明】
【技術分野】
【０００１】
本考案は、開口して被包装物を取り出すことができる硬質樹脂シート製包装容器に関するものである。
【背景技術】
【０００２】
例えば化粧料容器や化粧用ブラシ等の化粧道具、あるいはアクセサリ等の小物を、例えば店頭に展示するとき、これらの物品を露出状態にしておくと、埃や人が物品を手に取った後に残る脂等が付着し、物品が汚損されるおそれがあるため不具合である。また、多数の物品を整然と陳列し、あるいは陳列する前に梱包箱等に収容しておくうえでも不具合である。
【０００３】
このため、上記の物品を６面体形状や円筒形状等の硬質樹脂シート製包装容器に収容し包装しておくことが行われている。
物品（以下、これを被包装物ということがある。）を硬質樹脂シート製包装容器で包装することで、上記した被包装物の汚損が防止され、また、個装された多数の被包装物を能率的に梱包箱等に収容し、ついで、梱包箱等から取り出した被包装物を美麗に店頭に陳列するうえでも好適である。さらにまた、硬質樹脂シート製包装容器は、他の一般の包装と同様に、梱包箱等を運搬する際や店頭へ陳列した際に、なんらかの外力によって被包装物に傷がつき、あるは破損することを防止する保護機能も持つ。
【０００４】
硬質樹脂シート製包装容器は、６面体形状のものの場合、辺が側面に接合された蓋面のその辺と対向する辺の先端を開口内に折込み、あるいはこれとは逆に側面の上部表面を覆うようにして開口を閉じて被包装物を包装するとともに、折込み部分あるは側面の上部表面にシールを貼付して、蓋面が不用意に開くことや勝手に開封することを防止している。そして、被包装物を使用する際は、シールを剥がし、あるいはシールを切断した後に蓋面を開いて、生成した開口から被包装物を取り出す。
また、硬質樹脂シート製包装容器が円筒形状のものの場合、蓋部と本体との重なり部分の周囲にテープを巻いておき、使用時にはこのテープを剥ぎ取る。
さらにまた、広義の樹脂シート製包装容器という意味で、上記シールやテープを用いることなく、硬質樹脂シート製包装容器をシュリンクフィルムで包むことも行われており、この場合、シュリンクフィルムを引き破り、あるいは切断して硬質樹脂シート製包装容器を取り出す。
【考案の開示】
【考案が解決しようとする課題】
【０００５】
しかしながら、上記従来の硬質樹脂シート製包装容器は、いずれも、蓋を開けるのに先立って行うシール、テープあるいはシュリンクフィルムを剥がし、あるいは切断する操作が煩雑である。また、シール等を剥がした後に蓋を開けるという２段階の操作を必要とする面でも煩雑である。
【０００６】
本考案は、上記の課題に鑑みてなされたものであり、ワンタッチで容易に蓋を開けることのできる硬質樹脂シート製包装容器を提供することを目的とする。
【課題を解決するための手段】
【０００７】
本考案に係る硬質樹脂シート製包装容器は、
開口して被包装物を取り出すことができる硬質樹脂シート製包装容器において、
１または複数の手の指を添えることができる大きさのほぼＵ字状のミシン目線が形成されるとともに、該Ｕ字状のミシン目線の両側に延出してミシン目線が形成され、
該Ｕ字状のミシン目線を起点として、両側に延出したミシン目線を切断することで、被包装物を取り出すための開口が生成されるように構成されてなることを特徴とする。
【０００８】
また、本考案に係る硬質樹脂シート製包装容器は、少なくとも前記Ｕ字状のミシン目線の部分を覆うように貼付される封緘シールをさらに有し、貼付した状態において該封緘シールの該Ｕ字状のミシン目線の部分にほぼ重なる位置に該Ｕ字状のミシン目線と平行な複数のミシン目線が配列して形成されてなることを特徴とする。
【０００９】
また、本考案に係る硬質樹脂シート製包装容器は、
６面体形状容器であり、開口される面の周縁が、辺および該辺と対向する他の辺を他の面と接合されるとともに、残りの二辺を他の面から切り離された状態に形成され、該開口される面の該辺から延出して、指を添えることができる大きさのほぼＵ字状のミシン目線が形成されるとともに、該Ｕ字状のミシン目線の両側に延出して、該残りの二辺に接続されるほぼ直線状のミシン目線が形成され、
前記封緘シールが該Ｕ字状のミシン目線および直線状のミシン目線のほぼ全体を覆うように貼付され、該Ｕ字状のミシン目線および該直線状のミシン目線と平行な複数のミシン目線が配列して形成されてなることを特徴とする。
【考案の効果】
【００１０】
本考案に係る硬質樹脂シート製包装容器は、１または複数の手の指を添えることができる大きさのほぼＵ字状のミシン目線が形成されるとともに、Ｕ字状のミシン目線の両側に延出してミシン目線が形成され、Ｕ字状のミシン目線を起点として、両側に延出したミシン目線を切断することで、被包装物を取り出すための開口が生成されるように構成されているため、指でＵ字状のミシン目線を押し破るとともに、さらに、Ｕ字状のシート部分を引き上げて両側に延出したミシン目線を切断することで、実質的にワンタッチで容易に蓋を開き、開口を生成することができる。また、封緘シール等がなくても不用意に蓋が開くおそれが少ない。
【００１１】
また、本考案に係る硬質樹脂シート製包装容器は、少なくともＵ字状のミシン目線の部分を覆うように貼付される封緘シールをさらに有し、貼付した状態において封緘シールのＵ字状のミシン目線の部分にほぼ重なる位置に該Ｕ字状のミシン目線と平行な複数のミシン目線が配列して形成されているため、封緘シールおよび容器のミシン目線を一度に切断することでワンタッチで容易に蓋を開くことができるとともに、封緘シールを設けることで不用意に蓋が開くおそれをより確実に軽減することができる。また、封緘シールのミシン目線が複数列形成されているため、容器に封緘シールを貼付する位置が若干ずれたときであっても、封緘シールの複数のミシン目線のいずれかが容器のミシン目線と重なり、あるは近接して位置することにより、封緘シールおよび容器のミシン目線を一度に切断する操作を行ううえで支障がない。
【考案を実施するための最良の形態】
【００１２】
本考案の実施の形態について、以下に説明する。
【００１３】
本考案の硬質樹脂シート製包装容器は、被包装物を包装し、例えば、梱包箱に多数の被包装物を包装（梱包）する際の個装容器として利用するものである。また、本考案の硬質樹脂シート製包装容器は、梱包箱から取り出した、個装容器に収容された被包装物を整然とさらには美麗に店頭に陳列するために用いられるものである。但し、これらの用途に限定するものではない。
ここで、被包装物は、特に限定するものではなく、例えば粉粒状物等の食品その他の物品であってもよいが、被包装物を硬質樹脂シート製包装容器に包装した状態で店頭展示等する際により大きな効果を得ることができる点で、化粧品容器、化粧道具、アクセサリ、玩具等が好適である。
【００１４】
本考案の硬質樹脂シート製包装容器（以下、単に容器ということがある。）は、硬質樹脂シート製であり、例えば、シートを水平に保持したときに自重で弛んで変形することのない程度の自立形状保持性を有するものである。このようなシートは、例えばポリエチレンテレフタレート、ポリエチレン、ポリプロピレン、ポリスチレン、ポリ塩化ビニル等の適宜の合成樹脂を材料として用いることができる。そして、材料に応じて異なる、自立形状保持性を有する程度の最低限の厚みを持つとともに、後述するミシン目線を切断する際に容易に切断でき、また、材料を不要に過剰量用いることのない程度の、例えば、０．０５〜０．２ｍｍ程度の厚みに形成される。
容器の寸法および形状は、包装する被包装物の寸法および形状に応じて適宜設定することができ、このうち前者の形状については、特に限定するものではなく、６面体やあるいは５面体以下または７面体以上の多面体であってもよく、また、円筒体であってもよく、さらには、球体等であってもよい。
【００１５】
容器は、被包装物の寸法および形状に応じた開口を生成して被包装物を取り出す。
上記開口は、例えば以下のようにして生成される。
容器には、１または複数の手の指を添えることができる大きさのほぼＵ字状のミシン目線が形成されるとともに、Ｕ字状のミシン目線の両側に延出してミシン目線が形成される。ここで、ミシン目線は、生成する開口予定部位の全周に周回して形成してもよく、あるいは、開口予定部位の全周の一部についてミシン目線等を形成しない状態に残しておいてもよい。あるいは、ミシン目線の一部を、広義のミシン目線といえるスリットに置き換えてもよい。また、Ｕ字状のミシン目線で画成されるＵ字状のシート部分の大きさは、容器が小さかったり、あるいは、比較的小さな力でミシン目線を切断できるときは、例えば、人差し指や親指のうちの１本を添えることができる程度で十分であり、一方、容器が大きかったり、あるいは、比較的大きな力でないとミシン目線を切断できないときは、例えば人指し指に中指を添えることができる程度とする。
そして、容器のＵ字状のミシン目線を起点として、両側に延出したミシン目線を切断することで、被包装物を取り出すための開口が生成される。この場合、開口予定部位に周回してミシン目線等を形成したときは、開口によって蓋状部が容器本体から脱離され、一方、開口予定部位の一部についてミシン目線等を形成しないときは、その部分を係合部として容器本体に蓋状部がくっついた状態となる。
【００１６】
ここで、容器が６面体の場合は、開口される面の周縁が、辺およびその辺と対向する他の辺を他の面と接合されるとともに、残りの二辺を他の面から切り離された状態、言い合えればスリット状に形成され、開口される面の辺から延出して、指を添えることができる大きさのほぼＵ字状のミシン目線が形成されるとともに、Ｕ字状のミシン目線の両側に延出して、残りの二辺に接続されるほぼ直線状のミシン目線が形成される。
【００１７】
上記のように構成される本考案の硬質樹脂シート製包装容器は、指でＵ字状のミシン目線を押し破るとともに、さらに、Ｕ字状のシート部分を引き上げて両側に延出したミシン目線を切断することで、実質的にワンタッチで容易に蓋を開くことができる。また、ミシン目線のミシン目のない部分を介して開口となるシート部分と他のシート部分が接合されているため、封緘シール等がなくても不用意に蓋が開くおそれが少ない。
【００１８】
また、本考案の硬質樹脂シート製包装容器は、より好ましくは、上記のように構成される容器の少なくともＵ字状のミシン目線の部分を覆うように貼付される封緘シールをさらに有する。封緘シールは、容器に貼付した状態において封緘シールのＵ字状のミシン目線の部分にほぼ重なる位置にＵ字状のミシン目線と平行な複数のミシン目線が配列して形成される。
ここで、封緘シールの材料は特に限定するものではなく、例えば紙製であってもよいが、耐久性その他を考慮すると、樹脂シートあるいは樹脂フィルムを用いることが好適である。また、封緘シールの大きさは、上記のように容器の少なくともＵ字状のミシン目線の部分を覆うことができる程度で十分であるが、Ｕ字状の部位以外のミシン目部分が不用意に破断することを防止する観点から、これらＵ字状の部位以外のミシン目部分をも覆うことができる大きさとすることがより好適である。
【００１９】
つぎに、本考案の硬質樹脂シート製包装容器の２つの具体例について、図面を参照して説明する。
【００２０】
本考案の硬質樹脂シート製包装容器の第１の例は、図１に示すように、容器１０の形状が６面体である。
容器１０は、図１中、上側に位置する、開口される面１２の周縁が、辺（図１中、矢印Ｓ１で示す。）および辺Ｓ１と対向する他の辺（図１中、矢印Ｓ２で示す。）を他の面（図１中、辺Ｓ２については、面１４。辺Ｓ１と接合される面は表れない。）と接合されるとともに、残りの二辺（図１中、矢印Ｓ３およびＳ４で示す。）を他の面（図１中、辺Ｓ４については、面１６。辺Ｓ３と接合される面は表れない。）から切り離された、スリット状に形成される。そして、開口される面１２の辺Ｓ２から延出して、指を添えることができる大きさのほぼＵ字状のミシン目線（図１中、矢印Ｌ１で示す。）が形成されるとともに、ミシン目線Ｌ１の両側に延出して、残りの二辺Ｓ３、Ｓ４に接続されるほぼ直線状のミシン目線（図１中、矢印Ｌ２、Ｌ３で示す。）が形成される。ミシン目線Ｌ１〜Ｌ３は、切断しやすいように、それぞれのミシン目が長い寸法に形成され、例えばミシン目の数は全体で５、６個程度であり、これにより、ミシン面線が形成される面の部分はミシン目線Ｌ１〜Ｌ３全体を通じて数箇所でのみ点状に接合される。
【００２１】
容器１０には、好ましくは、封緘シール１８が設けられる。封緘シール１８は、容器１０のミシン目線Ｌ１〜Ｌ３に対応して例えば３本のミシン目線Ｌ４〜Ｌ６がミシン目線Ｌ１〜Ｌ３と平行に配列して形成される。３本のミシン目線Ｌ４〜Ｌ６には、それぞれ、例えば、不用意に破断することがなく、かつ、指で押したときに破断しやすい程度の適度に離間した多数のミシン目を設ける。そして、容器のミシン目線Ｌ１〜Ｌ３にミシン目線Ｌ５が重なるようにして封緘シール１８が容器１０に貼付される。このとき、封緘シール１８を容器１０に貼付する位置が所定の位置から僅かにずれて、ミシン目線Ｌ１〜Ｌ３にミシン目線Ｌ５が重ならなかったとしても、他の２つのミシン目線Ｌ４、Ｌ６のうちのいずれかが容器のミシン目線Ｌ１〜Ｌ３に重なり、あるいは、３本のミシン目線Ｌ４〜Ｌ６のうちのいずれかがミシン目線Ｌ１〜Ｌ３の近傍に位置する。なお、図１中、３本のミシン目線Ｌ４〜Ｌ６は、実際には例えば数ｍｍ間隔に設けられるが、図では見やすいように表示し、また、３本のミシン目線Ｌ１〜Ｌ３からずらした位置に表示している。
【００２２】
上記の状態で化粧品容器等（図示せず。）を包装した容器１０を開口して化粧品容器等を取り出すには、図２に示すように、例えば手の人指し指を封緘シール１８のうえからＵ字状のミシン目線Ｌ１によって画成される容器１０のシート部位（図１および図３中、矢印Ａで示す。）に添えて、そのシート部位Ａに力を加えることで、封緘シール１８の３つのミシン目線Ｌ４〜Ｌ６のうちのいずれか１本およびミシン目線Ｌ１を一挙に切断して指を容器１０内に押し込む。ついで、開口される面１２を引き上げる方向に力を加えることにより、封緘シール１８のミシン目線Ｌ４〜Ｌ６のうちのいずれか１本の切断されていない残部とともにミシン目線Ｌ１に接続するミシン目線Ｌ２、Ｌ３が切断され、図３に示すように、開口される面１２を開いて、ワンタッチで開口２０を生成することができる。
【００２３】
上記のように構成される容器１０の作製方法および化粧品容器等の包装方法について、図４を参照して説明する。
容器１０は、シート材料から展開面状に形成されるシート１０ａを形成し、このシート１０ａを組み立てることで作製される。ここで、図４中、シート１０ａ最下部の面には、ミシン目線Ｌ１〜Ｌ３が形成される。一方、封緘シールを使用する場合は、ミシン目線Ｌ４〜Ｌ６が形成された封緘シール１８を用いる。
シート１０ａは、各面間の折り曲げ部分で折り曲げられた後、辺Ｓ５および辺Ｓ６、辺Ｓ７および辺Ｓ８、辺Ｓ９および辺Ｓ１０、辺Ｓ１１および辺Ｓ１２がそれぞれ、ヒートシール等の適宜の接合方式を用いて接合され、箱状に画成される。ついで、開口部から化粧品容器等を挿入、配置した後、さらに、辺Ｓ２および辺Ｓ１３を接合する。これにより、化粧品容器等が容器１０で包装される。さらに、封緘シール１８を前記した所定の位置に貼付することにより、化粧品容器等が包装された容器１０が完成する。
【００２４】
つぎに、本考案の硬質樹脂シート製包装容器の第２の例について、図５を参照して説明する。
第２の例の容器２２は、図５に示すように、容器２２の形状が球面体（球体）である。容器２２の一部に、例えば大径円状のミシン目線Ｌ７が形成されるとともに、ミシン目線Ｌ７の両端部は離間した状態とされる。そして、ミシン目線Ｌ７の両端から延出して、手の指を添えることができる大きさの部分を画成するＵ字状のミシン目線Ｌ８が形成される。さらに、Ｕ字状のミシン目線Ｌ８を中心にして、容器２２の一部に３本のミシン目線Ｌ９〜Ｌ１１が形成された封緘シール２４を貼付する。
なお、容器２２は、例えば半球状に成形された１対の容器部（図５中、図示せず。）を作製し、アクセサリや玩具等を１対の容器部の内部に配置した状態で、１対の容器部を接合することで得ることができる。
第２の例の容器２２は、第１の容器１０と同様に、ワンタッチで開口を生成することができる。
【図面の簡単な説明】
【００２５】
【図１】本考案の第１例の、被包装物を包装した状態の硬質樹脂シート製包装容器の斜視図である。
【図２】図１の硬質樹脂シート製包装容器を指で押し開けて開口を生成する手順を説明するための図である。
【図３】図２の状態から、さらに開口した状態を示す、硬質樹脂シート製包装容器の斜視図である。
【図４】本考案の第１例の硬質樹脂シート製包装容器の作製方法を説明するための、シートの展開図である。
【図５】本考案の第２例の、被包装物を包装した状態の硬質樹脂シート製包装容器の斜視図である。
【符号の説明】
【００２６】
１０、２２  硬質樹脂シート製包装容器
１２、１４、１６  面
１８、２４  封緘シール
２０  開口
Ｓ１〜Ｓ１３  辺
Ｌ１〜Ｌ１１  ミシン目線
Ａ  シート部位
【図１】
0003119365.tif 000003
【図２】
0003119365.tif 000004
【図３】
0003119365.tif 000005
【図４】
0003119365.tif 000006
【図５】
0003119365.tif 000007